(57)【要約】【課題】自ら通信を開始する機能を有しない第１の無線通信手段を含む、複数の無線通信手段を備えた無線通信装置において、第１の無線通信手段による通信の開始を可能とする。【解決手段】第１の無線通信手段において通信を開始する機能を備えた通信相手に対し、第１の無線通信手段とは異なる無線通信手段により、第１の無線通信手段による通信の開始を要求するコマンド送信部を設ける。通信相手は、コマンド送信部からの要求に従い第１の無線通信手段による通信を無線通信装置と始める。【選択図】図１
2015104098.tif 000002
【特許請求の範囲】
【請求項１】
第１、第２の無線通信手段を備え、第１の無線通信手段において通信を開始する機能を有しない無線通信装置であり、第１、第２の無線通信手段を備え、第１の無線通信手段において通信を開始する機能を備えた通信相手に対し、第２の無線通信手段により、第１の無線通信手段による通信を開始する要求を送信する通信確立要求部を備えた無線通信装置。
【請求項２】
第１、第２の無線通信手段を備え、第１の無線通信手段において通信を開始する機能を備えた無線通信装置であり、第１、第２の無線通信手段を備え、第１の無線通信手段において通信を開始する機能を有しない通信相手から、第２の無線通信手段により第１の無線通信手段による通信を開始する要求を受信し、通信相手と第１の無線通信手段による通信を開始する通信開始部を備えた無線通信装置。
【請求項３】
第１、第２の無線通信手段を備え、第１の無線通信手段において通信を開始する機能を有しない無線通信装置における無線通信方法であって、
第１、第２の無線通信手段を備え、第１の無線通信手段において通信を開始する機能を備えた通信相手と第２の無線通信手段による通信を確立するステップと、
確立された第２の無線通信手段による通信により、通信相手に第１の無線通信手段による通信を開始する要求を送信するステップと、
第２の無線通通信手段による通信を終了するステップと、
第１の無線通信手段により通信相手から第１の無線通信手段による通信開始指示を受信し、通信相手から第１の無線通信手段によりデータ受信を開始するステップを有する無線通信方法。
【請求項４】
第１、第２の無線通信手段を備え、第１の無線通信手段において通信を開始する機能を備えた無線通信装置の無線通信方法であって、
第１、第２の無線通信手段を備え、第１の無線通信手段において通信を開始する機能を有しない通信相手と第２の無線通信手段による通信を確立するステップと、
確立された第２の無線通信手段による通信により、通信相手から第１の無線通信手段による通信を開始する要求を受信するステップと、
第２の無線通信手段による通信を終了するステップと、
第１の無線通信手段により通信相手へ第１の無線通信手段による通信開始指示を送信し、通信相手へ第１の無線通信手段により、データ送信を開始するステップを有する無線通信方法。
【発明の詳細な説明】
【技術分野】
【０００１】
本発明は、複数の無線通信手段を備えた無線通信装置、及びその無線通信方法に関するものである。
【背景技術】
【０００２】
現在、無線通信技術として、ＮＦＣ（Ｎｅａｒ  Ｆｉｅｌｄ  Ｃｏｍｍｕｎｉｃａｔｉｏｎ）、Ｗｉ−Ｆｉ、Ｂｌｕｅｔｏｏｔｈ（登録商標）等の複数の技術が知られており、無線通信装置が異なる無線通信技術に基づく複数の無線通信手段を備え、それぞれを目的、用途により使い分けすることが行われている。
【０００３】
例えば、特許文献１では、ＮＦＣに基づく通信を行う第１の無線通信手段を用いてＢｌｕｅｔｏｏｔｈ（登録商標）のペアリングを行い、画像データをＢｌｕｅｔｏｏｔｈ（登録商標）に基づく通信を行う第２の無線通信手段によって送信する無線通信システムが開示されている。
【先行技術文献】
【特許文献】
【０００４】
【特許文献１】特開２０１０−１７７９４７号公報
【発明の概要】
【発明が解決しようとする課題】
【０００５】
しかしながら、無線通信技術によっては、通信装置の機能を、通信を開始する機能を備えたデバイス（以後、ソースと呼ぶ）と、通信を開始する機能を有しないデバイス（以後、シンクと呼ぶ）とに区別して通信を行うものがある。
【０００６】
このような無線通信においては、例えば、シンクが手近にあり、ソースがカバンの中等の離れた場所にある場合、通信を開始するためには、離れた場所にあるソースを取り出し、ソースから手近にあるシンクに対し通信を開始する必要があり、利用者にとっては不便である。
【０００７】
本発明は、上記課題を解決するもので、シンクからソースとの通信を開始することができる無線通信装置、及び無線通信方法を提供することを目的とする。
【課題を解決するための手段】
【０００８】
上記目的を達成するため、本発明の無線通信装置は、第１、第２の無線通信手段を備え、第１の無線通信手段において通信を開始する機能を有しない通信装置であり、第１、第２の無線通信手段を備え、第１の無線通信手段において通信を開始する機能を備えた通信相手に対し、第２の無線通信手段により、第１の無線通信手段による通信を開始する要求を送信する通信確立要求部を備えた構成となっている。
【発明の効果】
【０００９】
本発明によれば、第１の無線通信手段において通信を開始する機能を有しない無線通信装置から、通信相手と第１の無線通信手段による通信を開始することが可能となる。
【図面の簡単な説明】
【００１０】
【図１】本発明の実施の形態における無線通信装置からなる通信システムのブロック構成図
【図２】本発明の実施の形態における無線通信装置の動作を示す第１の説明図
【図３】本発明の実施の形態における無線通信装置の動作を示す第２の説明図
【図４】本発明の実施の形態における無線通信装置の第１の表示例を示す表示画面図
【図５】本発明の実施の形態における無線通信装置の第２の表示例を示す表示画面図
【発明を実施するための形態】
【００１１】
以下、本発明の実施の形態における無線通信装置および無線通信方法について図面を用いて説明する。実施の形態では第１の無線通信手段をＭＩＲＡＣＡＳＴ（登録商標）に基づく通信を行う無線通信手段、第２の無線通信手段をＢｌｕｅｔｏｏｔｈ（登録商標）に基づく通信を行う無線通信手段として説明するが、これらの無線通信技術に限定されるものではない。
【００１２】
ＭＩＲＡＣＡＳＴ（登録商標）は無線ＬＡＮに関する業界団体であるＷｉ−Ｆｉ    Ａｌｌｉａｎｃｅによって策定された通信規格であり、Ｗｉ−Ｆｉを用いた１対１の無線通信によるディスプレイ伝送技術である。ＭＩＲＡＣＡＳＴ（登録商標）対応の無線通信装置（デバイス）には、Ｗｉ−Ｆｉ経由でマルチメディアコンテンツをストリーミング配信するソース（Ｓｏｕｒｃｅ）と、ソースからＷｉ−Ｆｉ経由でマルチメディアコンテンツを受信し、描画するシンク（Ｓｉｎｋ）とがある。ＭＩＲＡＣＡＳＴ（登録商標）の開始操作は、ソースからしか出来ず、シンクからは開始することが出来ない。
【００１３】
本発明の実施の形態では、ソースとしてスマートフォンを、シンクとして車に搭載され、ＣＤやＤＶＤ等を再生する車載機を例に説明するが、本発明の無線通信装置はこれらのものに限定されるものではない。
（実施の形態）
図１は、本発明の１実施の形態における通信システムの構成を示すブロック図である。図１において無線通信装置である車載機１００は、同じく無線通信装置であるスマートフォン２００と通信を行う。車載機１００が、請求項１に記載の無線通信装置、スマートフォン２００が請求項２に記載の無線通信装置に該当する。
【００１４】
車載機１００は、制御部１０１、出力部１０２、操作パネル１０３、フラッシュメモリ１０４、無線通信部１０５、コマンド送信部１０６を備えた構成となっている。
【００１５】
制御部１０１は車載機１００のハードウェアを操作パネル１０３の操作等に基づき制御する。出力部１０２は、液晶モニタとスピーカを備え、映像と音声を出力する。操作パネル１０３は、タッチパネルを備え、ユーザからの操作を受け付ける。フラッシュメモリ１０４は、映像や音楽、通信アドレス等のデータを保持する。
【００１６】
無線通信部１０５は、ＭＩＲＡＣＡＳＴ（登録商標）に基づく通信を行う第１の無線通信手段１０５１と、Ｂｌｕｅｔｏｏｔｈ（登録商標）に基づく通信を行う第２の無線通信手段１０５２を備えている。
【００１７】
コマンド送信部１０６は、通信相手に予め登録してあるコマンド送信するもので、請求項１に記載の通信確立要求部に相当する。
【００１８】
なお、第１の無線通信手段１０５１が行うＭＩＲＡＣＡＳＴ（登録商標）に基づく第１の無線通信において、車載機１００は通信を開始する機能を有しておらず、シンクとして動作する。
【００１９】
図１において、スマートフォン２００は、制御部２０１、出力部２０２、フラッシュメモリ２０４、無線通信部２０５、コマンド受信部２０６、第１の無線通信開始指示部２０
７を備えた構成となっている。
【００２０】
制御部２０１は、スマートフォンのハードウェアを操作パネル２０３からの操作等に基づき制御する。出力部２０２、操作パネル２０３、フラッシュメモリ２０４は、それぞれ、車載機１００の出力部１０２、操作パネル１０３、フラッシュメモリ１０４と同様の機能を有する。
【００２１】
無線通信部２０５も車載機１００の無線通信部１０５と同様に、ＭＩＲＡＣＡＳＴ（登録商標）に基づく通信を行う第１の無線通信手段２０５１と、Ｂｌｕｅｔｏｏｔｈ（登録商標）に基づく通信を行う第２の無線通信手段２０５２とを備えている。
【００２２】
コマンド受信部２０６は、予めスマートフォン２００に登録されているコマンドであり、請求項に記載の「第１の無線通信手段による通信を開始する要求」に相当するコマンドを受信する。
【００２３】
第１の無線通信開始指示部２０７は、シンクである車載機１００にＭＩＲＡＣＡＳＴ（登録商標）に基づく通信の開始を指示する。コマンド受信部２０６と第１の無線通信開始指示部２０７とが、請求項２に記載の通信開始部に相当する。
【００２４】
なお、スマートフォン２００は、第１の無線通信手段２０５１が行うＭＩＲＡＣＡＳＴ（登録商標）に基づく第１の無線通信において、通信を開始する機能を備えており、ソースとして動作する。
【００２５】
以上のように構成された車載機１００とスマートフォン２００について、その動作を説明する。
【００２６】
車載機１００は、Ｂｌｕｅｔｏｏｔｈ（登録商標）に基づく通信を行う第２の無線通信手段１０５２により、車載機１００とＢｌｕｅｔｏｏｔｈ（登録商標）に基づく通信が可能な通信装置を定期的にスキャンする。図２、図３は、スキャンにより、スマートフォン２００を初めて発見し、シンクである車載機１００からスマートフォン２００とＭＩＲＡＣＡＳＴ（登録商標）に基づく通信を開始する動作を示した図である。
【００２７】
車載機１００は、操作パネル１０３により、スマートフォン２００と第１の無線通信手段１０５１によるＭＩＲＡＣＡＳＴ（登録商標）に基づく通信の開始指示を受け付ける（Ｓ３０１）。コマンド送信部１０６は、制御部１０１を介して無線通信部１０５のＢｌｕｅｔｏｏｔｈ（登録商標）に基づく通信を行う第２の無線通信手段１０５２に対し、スマートフォン２００とのペアリングを実施させる（Ｓ５０１）。なお、各ハードウェアの制御は制御部１０１が行うため、以後は「制御部１０１を介して」との表現は冗長となるため省略する。
【００２８】
ペアリング（Ｓ５０１）において、コマンド送信部１０６はスマートフォン２００のＢｌｕｅｔｏｏｔｈ（登録商標）に基づく通信におけるアドレス（以後、ＢＴアドレスと呼ぶ）を取得しフラッシュメモリ１０４に保持する（Ｓ３０２）。またコマンド送信部１０６は、車載機１００のＷｉ−Ｆｉアドレスをスマートフォン２００に送信する。
【００２９】
コマンド送信部１０６は取得したスマートフォンのＢＴアドレスを用いて、第２の無線通信手段１０５２により、Ｂｌｕｅｔｏｏｔｈ（登録商標）に基づく第２の無線通信をスマートフォン２００と開始する（Ｓ５０２）。
【００３０】
次にコマンド送信部１０６は、予めスマートフォン２００に登録されている「第１の無
線通信手段による通信を開始する要求」をするコマンドである「コマンド送付要求」を第２の無線通信によりスマートフォン２００に送信する（Ｓ５０３）。コマンド送信部１０６は、スマートフォン２００から、コマンドを受け付けた旨を通知する「コマンド送付要求受付」を受信する（Ｓ５０４）。コマンド送信部１０６は、「コマンド送付要求受付」を受信後、第２の無線通信を終了する（Ｓ５０５）。
【００３１】
車載機１００の無線通信部１０５のＭＩＲＡＣＡＳＴ（登録商標）に基づく通信を行う第１の無線通信手段１０５１は、スマートフォン２００からＷｉ−Ｆｉ通信開始を受信し（Ｓ５０６）、スマートフォン２００とＷｉ−Ｆｉ通信を開始する（Ｓ５０６）。
【００３２】
次に、第１の無線通信手段１０５１はスマートフォン２００よりＭＩＲＡＣＡＳＴ（登録商標）に基づく第１の無線通信開始を受信する（Ｓ５０７）。第１の無線通信開始を受信した車載機１００は、制御部１０１がＷｉ−Ｆｉ経由でスマートフォン２００から送られてくるマルチメディアコンテンツであるビデオストリーム、オーディオストリームを再生する準備を行う。具体的には、出力部１０２等のストリーム再生に必要な資源を確保する（図３  Ｓ３０３）。
【００３３】
準備が完了すると、制御部１０１は、Ｗｉ−Ｆｉ通信により、再生準備完了をスマートフォン２００に送信する（Ｓ５０８）。
【００３４】
以後、車載機１００は第１の無線通信手段１０５１によりＭＩＲＡＣＡＳＴ（登録商標）に基づく通信でスマートフォン２００よりマルチメディアコンテンツを受信する（Ｓ５０９）。
車載機１００は、操作パネル１０３により、受信終了が指示されまで、コンテンツを受信し再生する。受信終了が指示された場合（Ｓ３０４）、コンテンツの再生を終了し（Ｓ３０５）、ＭＩＲＡＣＡＳＴ（登録商標）に基づく第１の無線通信の終了をスマートフォン２００に通知し（Ｓ５１０）、ＭＩＲＡＣＡＳＴ（登録商標）に基づく通信をおこなうためのＷＩ−ＦＩ通信を終了する（Ｓ５１１）。
【００３５】
以上説明した車載機１００の動作が、請求項３に記載の無線通信方法の詳細説明に該当する。
【００３６】
次に、同じ図面を用いて、スマートフォン２００の動作について説明する。スマートフォン２００は、車載機１００とのペアリングにおいて、車載機１００のＢＴアドレスと共に、車載機１００から車載機１００のＷｉ−Ｆｉアドレスを受信し、フラッシュメモリ２０４に保持する（Ｓ４０１）。
【００３７】
スマートフォン２００は、第２の無線通信手段２０５２により、車載機１００とＢｌｕｅｔｏｏｔｈ（登録商標）に基づく第２の無線通信を開始する（Ｓ５０２）。コマンド受信部２０６は、予め登録された「第１の通信手段による通信を開始する要求」である、「コマンド送付要求」を受信する（Ｓ５０３）。
【００３８】
コマンド受信部２０６は、「コマンド送付要求」を受信すると、コマンド送付要求の受付処理を行う（Ｓ４０２）。受付処理として、コマンド受信部２０６は、第２の無線通信により車載機１００へ、コマンド送付要求を受け付けたことを示す「コマンド送付要求受付」を送信する（Ｓ５０４）。コマンド受信部２０６は、Ｂｌｕｅｔｏｏｔｈ（登録商標）に基づく第２の無線通信の終了を検知し、第１の無線通信開始指示部２０７に、車載機１００とのＭＩＲＡＣＡＳＴ（登録商標）に基づく通信の開始を指示する。
【００３９】
第１の無線通信開始指示部２０７は、ペアリング時に取得した車載機１００のＷｉ−Ｆ
ｉアドレスを使用し、車載機１００とＷｉ−Ｆｉ通信を開始する（Ｓ５０６）。
【００４０】
第１の無線通信開始指示部２０７は、Ｗｉ−Ｆｉ通信により、車載機１００の無線通信部１０５のＭＩＲＡＣＡＳＴ（登録商標）に基づく通信を行う第１の無線通信手段１０５１に第１の無線通信開始を送信する（Ｓ５０７）。スマートフォン２００の無線通信部２０５の第１の無線通信手段２０５１は、車載機１００から再生準備完了を受信し（Ｓ５０８）、第１の無線通信によりマルチメディアコンテンツを車載機１００に送信する（Ｓ４０３）。
【００４１】
また、スマートフォン２００の無線通信部２０５の第１の無線通信手段２０５１は、車載機１００からのＭＩＲＡＣＡＳＴ（登録商標）に基づく第１の無線通信終了を受信し、第１の無線通信によるマルチメディアコンテンツのストリーミング配信を止め、車載機１００とのＷｉ−Ｆｉ通信を終了する（Ｓ５１１）。
【００４２】
以上説明したスマートフォン２００の動作が、請求項４に記載の無線通信方法の詳細説明に当たる。
【００４３】
次に、車載機１００の表示画面を参照し、車載機１００の動作について説明する。図４、図５は、車載機１００の表示画面例を示すものである。図４の表示画面４００は、出力部１０２の液晶パネルと操作パネル１０３のタッチパネルから構成される。
【００４４】
図４において、アイコン４０１からアイコン４０５は、車載機１００で実行可能なアプリケーションを示している。利用者がアイコンをタッチすることで、アイコンが示すアプリケーションが実行される。なお、図１の車載機１００のブロック図には、説明が冗長となるため各アプリケーションに対応する構成は省略している。
【００４５】
図４において、アイコン４０３、アイコン４０４のＰｈｏｎｅ１、Ｐｈｏｎｅ２は、過去に車載機１００とＢｌｕｅｔｏｏｔｈ（登録商標）のペアリングを完了した、Ｂｌｕｅｔｏｏｔｈ（登録商標）に基づく通信を行う無線通信手段とＭＩＲＡＣＡＳＴ（登録商標）に基づく通信を行う無線通信手段とを備えた通信デバイスの識別子である。
【００４６】
車載機１００のフラッシュメモリ１０４には、Ｐｈｏｎｅ１、Ｐｈｏｎｅ２のＢＴアドレスが保持されている。一方、Ｐｈｏｎｅ１、Ｐｈｏｎｅ２のフラッシュメモリには、車載機１００のＢＴアドレスと車載機１００のＷｉ−Ｆｉアドレスが保持されている。
【００４７】
車載機１００は、車載機１００とＢｌｕｅｔｏｏｔｈ（登録商標）に基づく通信可能なデバイスを定期的にスキャンする。アイコン４０３は、スキャンにより「Ｐｈｏｎｅ１」が発見されたことを示している。アイコン４０６は、スキャンにより「Ｐｈｏｎｅ２」が発見されていないことを、グレーアウトにより示している。
【００４８】
アイコン４０７は、車載機１００とＭＩＲＡＣＡＳＴ（登録商標）に基づく第１の無線通信の開始を指示するアイコンである。図４において、アイコン４０３とアイコン４０７をタッチすることにより、図２のＳ５０２からの処理が車載機１００とＰｈｏｎｅ１とで実施される。
【００４９】
その処理により、シンクである車載機１００から、ソースであるＰｈｏｎｅ１とのＭＩＲＡＣＡＳＴ（登録商標）に基づく通信を開始することができる。
【００５０】
図５は、図４の状態において、車載機１００がＢｌｕｅｔｏｏｔｈ（登録商標）に基づく通信可能なデバイスを新たに発見したときの画面表示例である。図５において、表示領
域５０１は新たに発見されたデバイスを示している。この状態で、ＭＩＲＡＣＡＳＴ（登録商標）に基づく通信を行う無線通信手段を備えたスマートフォン２００とアイコン４０７をタッチすると、図２、図３に示した処理が実施され、シンクである車載機１００から、スマートフォン２００とのＭＩＲＡＣＡＳＴ（登録商標）に基づく通信を開始することができる。
【００５１】
なお、ＭＩＲＡＣＡＳＴ（登録商標）に基づく通信の終了後は、スマートフォン２００は、車載機１００の表示画面にアイコン４０３、アイコン４０６と同様にアイコン表示される。
【００５２】
以上のように、本実施の形態における無線通信装置、および無線通信方法によれば、シンクからＭＩＲＡＣＡＳＴ（登録商標）に基づく通信を開始することが可能となる。
【００５３】
なお、図１の車載機１００において、制御部１０１をハードウェア制御するＣＰＵと、制御の際に必要なデータ等を一時的に保持するＲＡＭで構成し、コマンド送信部をＣＰＵが読み取り可能な記憶媒体にプログラムとして格納する構成としてもよい。
【００５４】
また、スマートフォン２００において、制御部２０１を同様にＣＰＵとＲＡＭで構成し、コマンド受信部２０６、第１の無線通信開始指示部２０７をＣＰＵが読み取り可能な記憶媒体にプログラムとして格納する構成としてもよい。
【００５５】
また、図４、図５において、アイコン４０７を無くし、通信デバイスのアイコンをタッチすることで、通信デバイスとのＭＩＲＡＣＡＳＴ（登録商標）に基づく通信を車載機１００からか開始する構成としてもよい。
【００５６】
また、第２の無線通信手段としてＷｉ−Ｆｉに基づく通信を行う無線通信手段を用いることも可能である。
【００５７】
以上説明したように、第１、第２の無線通信手段を備え、第１の無線通信手段において通信を開始する機能を有しない無線通信装置であり、第１、第２の無線通信手段を備え、第１の無線通信手段において通信を開始する機能を備えた通信相手に対し、第２の無線通信手段により、第１の無線通信手段による通信を開始する要求を送信する通信確立要求部を備えた本願発明の無線通信装置によれば、第１の無線通信手段において通信を開始する機能を有しない無線通信装置から、通信相手との第１の無線通信手段による通信を開始することが可能となる。
【００５８】
また、第１、第２の無線通信手段を備え、第１の無線通信手段において通信を開始する機能を備えた無線通信装置であり、第１、第２の無線通信手段を備え、第１の無線通信手段において通信を開始する機能を有しない通信相手から、第２の無線通信手段により第１の無線通信手段による通信を開始する要求を受信し、通信相手と第１の無線通信手段による通信を開始する通信開始部を備えた本願発明の無線通信装置によれば、第１の無線通信手段において通信を開始する機能を有しない無線通信装置から、第１の無線通信手段による通信を開始することが可能となる。
【００５９】
また、第１、第２の無線通信手段を備え、第１の無線通信手段において通信を開始する機能を有しない無線通信装置における無線通信方法であって、第１、第２の無線通信手段を備え、第１の無線通信手段において通信を開始する機能を備えた通信相手と第２の無線通信手段による通信を確立するステップと、確立された第２の無線通信手段による通信により、通信相手に第１の無線通信手段による通信を開始する要求を送信するステップと、第２の無線通通信手段による通信を終了するステップと、第１の無線通信手段により通信
相手から第１の無線通信手段による通信開始指示を受信し、通信相手から第１の無線通信手段によりデータ受信を開始するステップを有する本願発明の無線通信方法によれば、第１の無線通信手段において通信を開始する機能を有しない通信装置から、通信相手との第１の無線通信手段による通信を開始することが可能となる。
【００６０】
また、第１、第２の無線通信手段を備え、第１の無線通信手段において通信を開始する機能を備えた無線通信装置の無線通信方法であって、第１、第２の無線通信手段を備え、第１の無線通信手段において通信を開始する機能を有しない通信相手と第２の無線通信手段による通信を確立するステップと、確立された第２の無線通信手段による通信により、通信相手から第１の無線通信手段による通信を開始する要求を受信するステップと、第２の無線通信手段による通信を終了するステップと、第１の無線通信手段により通信相手へ第１の無線通信手段による通信開始指示を送信し、通信相手へ第１の無線通信手段により、データ送信を開始するステップを有する本願発明の無線通信方法によれば、第１の無線通信手段において通信を開始する機能を有しない通信装置から、通信相手との第１の無線通信手段による通信を開始することが可能となる。
【産業上の利用可能性】
【００６１】
本発明は、複数の無線通信手段を備えた通信措置に適用可能である。具体的には、    Ｂｌｕｅｔｏｏｔｈ（登録商標）に基づく通信を行う無線通信手段とＭＩＲＡＣＡＳＴ（登録商標）に基づく通信を行う無線通信手段を備えた車載機などに、本開示を適用可能である。
【符号の説明】
【００６２】
１００  車載機
１０１  制御部
１０２  出力部
１０３  操作パネル
１０４  フラッシュメモリ
１０５  無線通信部
２００  スマートフォン
２０１  制御部
２０２  出力部
２０３  操作パネル
２０４  フラッシュメモリ
２０５  無線通信部
２０６  コマンド受信部
２０７  第１の無線通信開始指示部
１０５１  第１の無線通信手段
１０５２  第２の無線通信手段
２０５１  第１の無線通信手段
２０５２  第２の無線通信手段
【図１】
2015104098.tif 000003
【図２】
2015104098.tif 000004
【図３】
2015104098.tif 000005
【図４】
2015104098.tif 000006
【図５】
2015104098.tif 000007